(57)【特許請求の範囲】
【請求項１】
嵌合孔を形成する表側端部を有するとともにこの端部が前記嵌合孔の周りに縁受け面を有した環状の胴と、
この胴の裏側端部に着脱可能に取付けられた裏蓋と、
前記裏側端部と前記裏蓋との間に圧縮状態に挟持された環状のシールパッキンと、
前記嵌合孔に挿脱可能に嵌合される筒状部及び前記縁受け面に重なるカバー部を有する環状の縁部材と、
前記縁受け面と前記カバー部との間に圧縮状態に挟持された環状のシールパッキンと、
前記縁部材に形成された環状段部に嵌め込み固定されたガラスと、
前記筒状部を前記表側端部に着脱可能に取付けるとともに前記裏蓋を外した状態で着脱される取付け部材と、
を具備し、
前記嵌合孔の周囲に張り出すように連続する係合裏面を前記表側端部が有し、前記筒状部が雌ねじ部を有し、この雌ねじ部に螺合される雄ねじ部と前記係合裏面に引っ掛かって前記表側端部を前記カバー部との間に挟むリングベース部を前記取付け部材が有するとともに前記嵌合孔と前記筒状部とを係合させて前記縁部材を回り止めする回転止め手段を備えたことを特徴とする時計。
【請求項２】
前記回転止め手段は前記嵌合孔に設けられた多角形状部とこれに係合する前記筒状部に設けられた多角形状部により構成されることを特徴とする請求項１に記載の時計。
【請求項３】
前記ガラスが前記環状段部に接着剤により固定されている請求項１又は２に記載の時計。
【発明の詳細な説明】
【技術分野】
【０００１】
本発明は、例えば腕時計や懐中時計のような携帯時計、置き時計、壁掛け時計等の時計に関する。
【背景技術】
【０００２】
従来、裏蓋を備える腕時計の中には、文字板が収容される胴の表側端部の内周に環状突部を形成し、この環状突部の内周に、文字板を覆うガラスが嵌め込み固定されるとともにベゼルを兼ねた縁部材の筒状部を嵌合させ、この筒状部と一体のかしめ部を環状突部の裏面にかしめ付けた腕時計が知られている（例えば、特許文献１参照。）。
【特許文献１】実公平５−３７２７３号公報（第１頁右欄第２４行〜第２７行、第１図）
【発明の開示】
【発明が解決しようとする課題】
【０００３】
前記のように縁部材が胴にかしめ止めされた腕時計では、変形されたかしめ部を、かしめる以前の状態に戻した後に、再びかしめることは、かしめ部の機械的強度が極端に低下するので、胴から縁部材を外すことができない。このため、腕時計の使用者にとって縁部材が損傷した場合は、ガラスが固定された縁部材だけではなく、この縁部材がかしめ付けられた胴ごと交換することを余儀なくされている。
【０００４】
又、胴と縁部材との間にシールパッキンを挟持して防水を図った腕時計では、腕時計の長期保証期間中及びその後にシールパッキンの性能が低下することが考えられる。これに対処してシールパッキンを交換しようとする場合にも、胴から縁部材を外すことができないので、縁部材だけではなく、この縁部材がかしめ付けられた胴ごと交換することを余儀なくされる。
【０００５】
本発明の目的は、ガラスが固定された縁部材を、胴を伴うことなく交換可能とした時計を提供することにある。
【課題を解決するための手段】
【０００６】
本発明は、嵌合孔を形成する表側端部を有するとともにこの端部が前記嵌合孔の周りに縁受け面を有した環状の胴と、この胴の裏側端部に着脱可能に取付けられた裏蓋と、前記嵌合孔に挿脱可能に嵌合される筒状部及び前記縁受け面に重なるカバー部を有する環状の縁部材と、この縁部材に形成された環状段部に嵌め込み固定されたガラスと、前記筒状部を前記表側端部に着脱可能に取付けるとともに前記裏蓋を外した状態で着脱される取付け部材と、を具備している。
【０００７】
本発明で、縁受け面は、嵌合孔の表側開口端から周囲に張り出すように連続して設けられていても、或いは前記表側開口端と縁受け面とが胴の厚み方向について異なる高さ位置に在るように前記表側開口端との間に段差を形成して設けられていてもよい。M又、縁受け面とこれに接するカバー部の接触面は、胴の厚み方向に直交する方向に沿う平面に限らず、胴の厚み方向に斜めに交差する方向に沿う斜面、或いは胴の厚み方向に斜めに交差する方向に沿って湾曲する曲面で形成されていてもよい。
【０００８】
本発明で、筒状部の外周及びこの筒状部が挿入される嵌合孔は、円形でも、多角形であってもよい。本発明で、縁部材の環状段部へのガラスの固定は、接着剤を用いても、或いは環状段部との間に弾性を有するシールリングを挟んでガラスを環状段部に圧入することで固定してもよい。
【０００９】
本発明で、取付け部材は、実施形態で説明するねじリングに制約されない。例えば、胴の表側端部の厚みより長く形成された筒状部の外周面に形成した環状の溝に着脱可能に取付けられ、この溝への取付け状態で表側端部の係合裏面に引っ掛かって、この表側端部をカバー部との間に挟むＣ字状等の止め輪からなる取付け部材を用いることもできる。或いは、胴の表側端部にその内周面に開放する環状の係止溝を形成し、かつ、筒状部にその内周に開放する環状の取付け溝と、これに連通するとともに筒状部が嵌合孔に挿入された状態で前記環状の係止溝に連通する複数の通孔を形成した場合には、通孔を通って環状係止溝に挿入されて引っ掛かる引掛け部を複数有して環状の取付け溝に着脱可能なＣ字状の弾性を有して取付け部材を用いることもできる。この場合、胴の表面側端部は胴の内空部に突出していても、突出していなくてもよい。
【００１０】
本発明では、ガラスが固定された縁部材の筒状部が胴の嵌合孔に挿入されて縁部材のカバー部が胴の縁受け面に重なった状態を、胴の内部に収容されて筒状部に取付けられた取付け部材で保持しており、この取付け部材は裏蓋を開いた状態で着脱できる。このため、縁部材が損傷した場合等に、取付け部材を着脱することで、縁部材を胴に着脱できる。したがって、ガラスが固定された縁部材を、胴を伴うことなく交換できる。
【００１１】
本発明の好ましい形態では、前記縁受け面とカバー部との間に圧縮状態に挟持された環状のシールパッキンを備えている。ここにシールパッキンは、縁受け面とカバー部とのいずれか一方に環状に保持溝を形成し、この保持溝に嵌めて設けてもよいし、或いはこうした保持溝を形成することなく設けることもできる。
【００１２】
この好ましい形態では、既述のように取付け部材の着脱によって胴に対する縁部材の組込みと分離ができるので、縁受け面とカバー部との間の防水・防塵を担うシールパッキンの性能が低下した場合に、このパッキンを、胴と縁部材との内の少なくとも胴を伴うことなく交換できる。
【００１３】
更に、本発明の好ましい形態では、前記嵌合孔の周囲に張り出すように連続する係合裏面を前記表側端部が有し、前記筒状部が雌ねじ部を有し、この雌ねじ部に螺合される雄ねじ部と前記係合裏面に引っ掛かって前記表側端部を前記カバー部との間に挟むリングベース部を前記取付け部材が有している。
【００１４】
この好ましい形態では、取付け部材の回転操作で、縁部材の筒状部に対するねじ込みによる胴への縁部材の固定と、筒状部に対するねじ込みの解除による胴からの縁部材の離脱を可能にできる。このため、胴内の狭い空間での胴に対する縁部材の着脱操作を、取付け部材を変形させる手間を要することなく、簡単に実施できる。
【００１５】
又、本発明の好ましい形態では、前記嵌合孔と筒状部とをこれらの周方向に係合させて前記縁部材を回り止めする回転止め手段を備えている。ここに、回転止め手段としては、例えば、嵌合孔と筒状部の外周を多角形状にして、多角形状嵌合孔の角と筒状部の角との当接（係合）による周方向の引っ掛かりで、縁部材を回り止めする手段を挙げることができる。この他に、嵌合孔と筒状部の一方に設けた１以上溝と、他方に設けた１以上の凸部との係合による周方向の引っ掛かりで、縁部材を回り止めする手段等を挙げることができる。
【００１６】
この好ましい形態では、縁部材の筒状部に取付け部材を螺合して締付ける際に、回転止め手段が縁部材を回り止めするので、取付け部材の締付けが容易となるとともに、縁部材を確実に固定できる。しかも、回り止めにより胴に対して縁部材が位置決めされるので、縁部材がベゼルのような加飾リングである場合には、このリングの加飾部位を適正な位置に保持して縁部材を胴に固定できる点でも好ましい。
【００１７】
又、本発明の好ましい形態では、前記ガラスが前記環状段部に接着剤により固定されている。
【００１８】
この好ましい形態では、縁部材の筒状部への取付け部材の着脱が、縁部材に過大な歪を与えることなく行われるので、縁部材を胴に着脱する際の縁部材の歪を原因としてガラスが剥離される恐れがない。しかも、縁部材の厚み方向に沿う環状段部の環状周面にガラスの周面が接着されることに加えて、環状周面に直角に連続する環状段部の座面にガラスの周部裏面が接着されるので、接着面積を大きく確保できる。このため、ガラスに対する必要な接着面積を確保しつつ縁部材の厚みを薄くすることが可能である。
【発明の効果】
【００１９】
本発明によれば、ガラスが固定された縁部材が損傷した場合等に、胴を伴うことなく縁部材を交換可能とした時計を提供できる。
【発明を実施するための最良の形態】
【００２０】
図１〜図４を参照して本発明の第１実施形態を説明する。
【００２１】
図１中符号１１は、時計、例えば竜頭１２をねじロックできる機能を備えた携帯時計、具体的には腕時計を示している。図２に示すように腕時計１１は、時計外装組立１３内に、文字板１４及び図示しない時計ムーブメント等を収容している。時計ムーブメントは、小型電池やぜんまいを動力にしたもの、又は自動巻きのもの、若しくはクォーツ発振モジュールにより文字板１４上で時刻等をデジタル表示するデジタル時計対応のもの、或いはデジタル時計対応のものとそれ以外のものとを併用したもの等のいずれであってもよい。
【００２２】
時計外装組立１３は、環状の胴１５の表側に、縁部材２１を介してガラス２７を装着するとともに、胴１５の裏側に金属等からなる裏蓋３１を液密に装着して形成されている。
【００２３】
胴１５はステンレス鋼やチタン等の金属又は合成樹脂からなる。胴１５は表側端部１５ａを有している。この表側端部１５ａは、例えば胴１５の内空部に向けて突出されていて、胴１５の表側部位に嵌合孔１６を形成している。嵌合孔１６は例えば円形である。
【００２４】
表側端部１５ａの表面は縁受け面１７をなしている。この縁受け面１７は、例えば嵌合孔１６の表側開口端から周囲に張り出すように嵌合孔１６に直角に連続した平面で形成されている。表側端部１５ａの裏面は係合裏面１８をなしている。この係合裏面１８は、例えば嵌合孔１６の裏側開口端から周囲に張り出すように嵌合孔１６に直角に連続した平面で形成されている。縁受け面１７と係合裏面１８とは平行である。
【００２５】
胴１５の裏側端部１５ｂの内面には係止溝１９が形成されている。裏蓋３１は胴１５に対しその裏側から取外し可能である。そのために、裏蓋３１は、弾性変形可能な胴内挿入筒部３２を一体に有し、この胴内挿入筒部３２の先端部数箇所に係合凸部３２ａ（一箇所のみ図示）が形成されている。
【００２６】
したがって、胴内挿入筒部３２を胴１５の裏面開口に挿入することにより、胴内挿入筒部３２の弾性変形を伴って係合凸部３２ａが係止溝１９の下側の縁を乗り越えると同時に、この係合凸部３２ａが係止溝１９に引っ掛かって、裏蓋３１を胴１５に装着できる。この取付け状態で、図示しないマイナスドライバー等の工具の先端部を裏蓋３１の周部と裏側端部１５ｂに差込んで、裏蓋３１をこじって係止溝１９から係合凸部３２ａを外すことにより、胴１５から裏蓋３１を外すことができる。なお、図２中符号３３は樹脂系の弾性材料で作られた環状シールパッキンを示している。シールパッキン３３は、胴１５と裏蓋３１とで圧縮状態に挟持されて、これらの間の防水・防塵を担っており、例えば裏蓋３１に設けた保持溝３４に嵌合して取付けられている。
【００２７】
縁部材２１は、例えばガラス２７を保持するガラス縁として使用されるものであって、ステンレス鋼やチタン等の金属又は合成樹脂により環状に形成されている。図２及び図３に示すように縁部材２１は、筒状部２２と、カバー部２３と、環状段部２４とを一体に有している。
【００２８】
筒状部２２は、嵌合孔１６に挿脱可能に嵌合される例えば円筒形の部位であり、その高さは、胴１５の表側端部１５ａの厚みより短い。この筒状部２２の内周面には雌ねじ部２２ａが形成されている。
【００２９】
カバー部２３は表側端部１５ａの縁受け面１７に重ねられる部位である。カバー部２３の裏面には環状の保持溝２３ａ（図３参照）が形成されている。この保持溝２３ａには樹脂系の弾性材料で作られた環状のシールパッキン２５（図２参照）が嵌合されている。自由状態でのシールパッキン２５の厚みは保持溝２３ａの深さより大きい。
【００３０】
縁部材２１の内周側部位に設けられた環状段部２４は、図３に示すように環状周面２４ａと座面２４ｂとで形成されている。環状周面２４ａは縁部材２１の厚み方向に沿って設けられ、座面２４ｂは環状周面２４ａに直角に連続して設けられている。座面２４ｂの面積は環状周面２４ａの面積より大であることが好ましい。この環状段部２４には接着剤２８（図２参照）を介してガラス２７が嵌め込み固定されている。
【００３１】
ガラス２７の縁部材２１への固定は、接着剤２８を環状周面２４ａと座面２４ｂとがなす角部に塗布してから、環状段部２４のガラス２７を嵌め込むことによってなされる。これにより、環状段部２４とガラス２７の周部との間の接着剤２８が、環状周面２４ａ及び座面２４ｂに沿って延ばされて、環状周面２４ａに接するガラス２７の周面が接着されるとともに、座面２４ｂに接するガラス２７の周部裏面とが縁部材２１に接着される。
【００３２】
このようにガラス２７が装着された縁部材２１は、リング形の取付け部材３６を用いて胴１５に着脱可能に取付けられている。取付け部材３６には図２及び図４に示すねじリングが使用されている。詳しくは、取付け部材３６は、リングベース部３７と、この内周部に一体に形成された螺合筒部３８とからなる。
【００３３】
リングベース部３７の外径は嵌合孔１６より大きい。図４（Ｂ）に示すようにリングベース部３７はその裏面に複数の操作部３７ａを有している。これらの操作部３７ａは、例えば凹みにより形成されているとともに、リングベース部３７の周方向に沿って間隔的に設けられている。図４（Ａ）に示すように螺合筒部３８の外周には雄ねじ部３８ａが形成されている。この雄ねじ部３８ａは縁部材２１の雌ねじ部２２ａに着脱可能に螺合される部位である。
【００３４】
胴１５への縁部材２１の着脱は裏蓋３１が外された状態で胴１５の内部で以下のように実施される。
【００３５】
既にガラス２７及びシールパッキン２５が組み付けられた縁部材２１を胴１５に取付ける手順を説明する。まず、縁部材２１の筒状部２２を胴１５の表側から胴１５の嵌合孔１６に嵌合させる。次に、胴１５の裏面開口より胴１５内に取付け部材３６を収めるとともに、その螺合筒部３８の雄ねじ部３８ａを筒状部２２の雌ねじ部２２ａに螺合させて、取付け部材３６を締め付ける。この場合、少なくとも二箇所の操作部３７ａに引っ掛かる工具を用いて取付け部材３６が回転操作される。
【００３６】
それにより、取付け部材３６のリングベース部３７が、胴１５の表側端部１５ａの係合裏面１８に接した時点から縁部材２１が胴１５の裏側方向に引き寄せられる。この引き寄せは、縁部材２１のカバー部２３が胴１５の縁受け面１７に当接することで終了する。これと同時に、カバー部２３とリングベース部３７とが胴１５の表側端部１５ａを挟むとともに、シールパッキン２５がカバー部２３と縁受け面１７との間に圧縮状態に挟まれて、ガラス２７が固定された縁部材２１が胴１５に液密に取付けられる。この取付けにより、ガラス２７は文字板１４に対向する。
【００３７】
次に、胴１５から縁部材２１を外す手順を説明する。先ず、裏蓋３１が外された状態の胴１５の裏面開口より工具を挿入するとともに、この工具を、取付け部材３６のリングベース部３７が有した操作部３７ａに引掛ける。次に、工具とともに取付け部材３６をこの部材３６が緩む方向に回転操作して、取付け部材３６を縁部材２１の筒状部２２から外す。これにより、胴１５に対する縁部材２１の保持が解除されるので、縁部材２１を胴１５から引き抜いて外すことができる。
【００３８】
以上のように胴１５に対して縁部材２１を着脱することが可能であるので、縁部材２１及びガラス２７が損傷した場合には、交換対象である縁部材２１及びガラス２７を既述の手順により胴１５から外して交換できる。同様に、腕時計１１の長期使用でシールパッキン２５の防水・防塵性能が低下した場合にも、既述の手順でガラス２７が固定された縁部材２１を胴１５から外した上で、同じく交換対象であるシールパッキン２５を、ガラス２７が固定された縁部材２１及び胴１５を伴うことなく交換できる。したがって、いずれの場合にも少なくとも胴１５を交換部品とともに廃棄する必要がなくなるので、修理依頼者にとっての交換費用を低減できる。
【００３９】
既述のようにねじリングからなる取付け部材３６の回転操作で、この取付け部材３６を縁部材２１の筒状部２２に着脱可能とした本実施形態では、筒状部２２に対する取付け部材３６のねじ込みで胴１５に縁部材２１を固定できるとともに、筒状部２２に対する取付け部材３６のねじ込みの解除によって胴１５への縁部材２１の固定を解除してこの縁部材２１を外すことができる。このため、胴１５内の狭い空間で、取付け部材３６を変形させる手間を要することなく、取付け部材３６を回転させるという簡単な操作で胴１５に対する縁部材２１の着脱操作を実施でき、作業性がよい。
【００４０】
しかも、縁部材２１に螺合された取付け部材３６を締め込むことにより、縁部材２１を縁受け面１７に縁部材２１のカバー部２３を確実に押し付けて、縁部材２１を強固に胴１５に装着できるとともに、シールパッキン２５を確実に圧縮して、防止・気密性能を確実にできる。更に、胴１５の表側から縁部材２１をこじって縁部材２１を外さなくてよいので、縁部材２１及び胴１５の表側端部１５ａが傷付く恐れがない。
【００４１】
既述の縁部材２１の筒状部２２への取付け部材３６の着脱は、縁部材２１に過大な歪を与えることなく行われる。これにより、縁部材２１を胴１５に着脱する際に、縁部材２１の歪がガラス２７の接着部に波及してガラス２７が剥離される恐れがない。このように縁部材２１の着脱時に接着を剥がす作用が働かないので、縁部材２１の厚みを薄くすることが可能である。それにより、腕時計１１全体の薄型化を図ることができる。そして、縁部材２１を薄くしても、その厚み方向に沿う環状段部２４の環状周面２４ａにガラス２７の周面が接着されることに加えて、環状段部２４の座面２４ｂにガラス２７の周部裏面が接着され、縁部材２１に対するガラス２７の接着面積を大きく確保できるので、ガラス２７を縁部材２１に確実に固定できる。
【００４２】
なお、ガラス２７の周面と環状段部２４の環状周面２４ａとの間に環状の弾性パッキンを圧縮状態に挟持してガラス２７を縁部材２１に取付ける場合には、環状段部２４の座面２４ｂを固定面として利用できない。このため、環状周面２４ａの高さを大きくして必要なガラス保持力を得る必要があり、したがって、本実施形態に比較して縁部材２１を厚くせざるを得ない。
【００４３】
図５を参照して本発明の第２実施形態を説明する。第２実施形態は、以下説明する事項以外は第１実施形態と同じであるので、第１実施形態と同じ構成については同一符号を付してその説明を省略する。
【００４４】
第２実施形態では、縁部材２１が加飾リングを兼ねている。そのために、例えば縁部材２１の表面に９０度間隔で加飾要素として例えば印２１ａが設けられていて、これらの印２１ａは文字板１４の１２時−６時、９時−３時に夫々対応している。又、第２実施形態の腕時計１１は、その縁部材２１の回り止め手段を有している。回り止め手段は、多角形の嵌合孔１６Ａと外周が多角形の筒状部２２Ａとで形成されている。筒状部２２Ａの角数と、この嵌合孔１６Ａの角数とは同じである。
【００４５】
この回り止め手段は、多角形の嵌合孔１６Ａの角と多角形の筒状部２２Ａの角との当接（係合）による周方向の引っ掛かりで、縁部材２１を回り止めしている。そのため、縁部材２１の筒状部２２に取付け部材３６を螺合して締付ける際に、回転操作される取付け部材３６によって縁部材２１が連れ回りすることを回転止め手段で防止できる。
【００４６】
したがって、縁部材２１の回転を手で止める手間を要することなく、組立て時に取付け部材３６の締付けを容易にできるとともに、縁部材２１を確実に胴１５に固定できる。同様の理由により分解作業での取付け部材３６の離脱を容易にできる。
【００４７】
しかも、既述のように取付け部材３６の回転操作に伴って縁部材２１が連れ回されることがないので、縁部材２１の加飾要素である印２１ａを文字板１４との関係で適正に対応した位置に保持できる。なお、以上説明した事項以外は、第１実施形態と同じである。
【図面の簡単な説明】
【００４８】
【図１】本発明の第１実施形態に係る腕時計を示す平面図。
【図２】図１の腕時計の一部を拡大して示す断面図。
【図３】図１の腕時計が備える縁部材の一部を示す斜視図。
【図４】（Ａ）は図１の腕時計が備える取付け部材の一部を表側から見て示す斜視図。（Ｂ）は図１の腕時計が備える取付け部材の一部を裏側から見て示す斜視図。
【図５】本発明の第２実施形態に係る腕時計を一部切欠いて示す平面図。
【符号の説明】
【００４９】
１１…腕時計（時計）
１３…時計外装組立
１５…胴
１５ａ…胴の表側端部
１５ｂ…胴の裏側端部
１６…嵌合孔
１７…縁受け面
１８…係合裏面
２１…縁部材
２２…筒状部
２２ａ…雌ねじ部
２３…カバー部
２４…環状段部
２４ａ…環状周面
２４ｂ…座面
２５…シールパッキン
２７…ガラス
２８…接着剤
３１…裏蓋
３６…取付け部材
３７…リングベース部
３７ａ…操作部
３８…螺合筒部
３８ａ…雄ねじ部
１６Ａ…嵌合孔（回り止め手段）
２２Ａ…筒状部（回り止め手段）
【図１】
0004714579.tif 000002
【図２】
0004714579.tif 000003
【図３】
0004714579.tif 000004
【図４】
0004714579.tif 000005
【図５】
0004714579.tif 000006